(57)【特許請求の範囲】
【請求項１】
紙葉類を入出金する入出金部と、
紙葉類を搬送する搬送路と、
紙葉類の画像情報を読み取る読取り画像情報読取部を有し、前記搬送路により搬送される紙葉類の真偽の判別処理を実施する判別部と、
前記各部の制御を行う制御部と、を備え、
前記判別部により少なくとも真でないと判別された紙葉類の固有情報であって、前記読取り画像情報読取部により前記固有情報が読み取れない場合に、
前記画像情報読取部は、１画素あたりの読み取り領域の大きさを、前記判別処理を実施する場合の１画素あたりの読み取り領域の大きさよりも小さくするとともに、読み取り画素数を、前記判別処理を実施する場合の読み取り画素数よりも増加させ、
前記搬送路は、前記判別処理を実施する場合よりも搬送速度を低速にして、
前記固有情報を読み取ることを特徴とする紙葉類取扱装置。
【請求項２】
請求項１に記載の紙葉類取扱装置であって、
前記判別部は、紙葉類の計数を行う入金計数時に、紙葉類の判別処理及び前記固有情報
の読み取りを行うことを特徴とする紙葉類取扱装置。
【請求項３】
請求項２に記載の紙葉類取扱装置であって、
前記搬送路は、前記判別部により真券でないと判別された紙葉類を入出金部へ搬送し、前記入出金部に搬送された紙葉類を再度前記判別部に搬送し、
前記判別部は、該搬送された紙葉類の前記固有情報を読み取ることを特徴とする紙葉類取扱装置。
【請求項４】
請求項１に記載の紙葉類取扱装置であって、
前記判別部は、入金計数時に紙葉類の判別を行い、紙葉類の収納を行う入金収納時に紙葉類の前記固有情報の読み取りを行うことを特徴とする紙葉類取扱装置。
【請求項５】
請求項１に記載の紙葉類取扱装置であって、
前記制御部は、前記制御部による紙葉類の前記固有情報の読み取りを、時間帯に応じて入金計数時又は入金収納時のいずれで実施するかを制御することを特徴とする紙葉類取扱装置。
【請求項６】
請求項１から請求項５のいずれかに記載の紙葉類取扱装置であって、
前記固有情報は紙葉類の記番号であることを特徴とする紙葉類取扱装置。
【請求項７】
請求項１から請求項６のいずれかに記載の紙葉類取扱装置を備えた現金自動取引装置であって、
係員からの操作を受付ける操作部を備え、
前記操作部より、前記判別部による前記固有情報の読み取りの実施可否を設定することが可能であることを特徴とする現金自動取引装置。
【発明の詳細な説明】
【技術分野】
【０００１】
本発明は、入金取引時の紙幣の判別結果を元に、紙幣の収納及び返却を行う機能を備えた紙幣取扱装置に関するものである。
【背景技術】
【０００２】
EURO紙幣などでは、紙幣の入金時に、真でない又は疑わしいと判別された紙幣の情報を追跡用データベースに蓄える場合がある。この場合に、紙幣毎に固有の記番号を読み取り、入金時の紙幣の判別結果と共に、記番号を追跡用のデータベース情報に記憶する。
【０００３】
しかし、記番号の読み取りには、精細な画像認識が必要となるため、顧客の取引時間を極力延長させないように、紙幣の搬送速度を維持したまま、記番号を読み取るには、高速処理可能なハードウェアが必要とされ、記番号の読み取り可能な紙幣取扱装置は高コストなものとなっていた。
【０００４】
一方、従来の紙幣判別を行う装置としては、例えば特開２００３−２８１６０３(特許文献１)に示される紙幣取扱装置が知られている。
【０００５】
【特許文献１】特開２００３−２８１６０３
【発明の開示】
【発明が解決しようとする課題】
【０００６】
特許文献１に記載された紙幣取扱装置では、紙幣の真偽判別における、初回の判別において、所定の判別条件に当てはまった紙幣についてのみ、解像度を上げて、記番号読取りを行う。しかし、特許文献１の紙幣取扱装置は、同一対象の判別を、解像度や判別方法を変えて行うものであり、そもそも解像度が高くないと読み取ることができない記番号の読み取りについては、全ての紙幣を記番号の読取りすることとなり、記番号の読み取りには使用できない。
【０００７】
本発明の目的は、高速処理可能なハードウェアを利用することなく、顧客の取引時間を極力延長させないように、入金計数時における紙幣の搬送速度を維持したまま、真でない又は疑わしいと判別された紙幣の記番号を読み取る紙幣取扱装置を提供することにある。
【課題を解決するための手段】
【０００８】
紙葉類を入出金する入出金部と、紙葉類を搬送する搬送路と、搬送路により搬送される紙葉類の真偽を判別する判別部と、前述の各部の制御を行う制御部とを備え、判別部は、少なくとも真でないと判別した紙葉類の固有情報であって、真偽判別では読取れない固有情報を読み取ることを特徴とする。
【発明の効果】
【０００９】
本発明によれば、紙幣類取引装置において、入金紙幣の記番号の管理、収集が可能となる。  
【発明を実施するための最良の形態】
【００１０】
以下に本発明の実施形態を図１から図７を用いて説明する。
【００１１】
図１は、現金自動取引装置１０３（ＡＴＭ）と紙幣取扱装置の制御ブロック図である。また、図２は、現金自動取引装置１０３の概観図である。以下、図１、図２を用いて各装置の説明を行う。
【００１２】
ホストコンピュータ１０１、サーバー１０２は、現金自動取引装置１０３の上位装置であり、取引情報の送受信を行う。紙幣取扱装置１０４は、紙幣の搬送を行う。判別結果記憶装置１０５は、判別部３から報告された判別結果を記憶する。判別部３は紙幣の金種、真偽、種類、状態を判別し、紙幣を特定するための、紙幣の固有情報を読み取る。判別部記憶装置Ａ１０７、判別部記憶装置Ｂ１０８は、紙幣の判別結果、紙幣を特定するための固有情報、詳細画像情報などを記憶する。通帳取扱装置１０９は、通帳を取り扱う。明細表発行装置１１０は、取引明細票を発行する。カード取扱装置１１１は、磁気ストライプカードやＩＣカードを取り扱う。操作部１１２は、利用者、係員、保守員がタッチパネルの操作や、操作の為の画面を表示するとともに、利用者等からの入力を受付ける。本体制御部記憶装置１１３は、プログラムやカードデータ等を記憶する。本体制御部１１４は上記各装置を制御する。なお、判別結果記憶装置１０５、判別部記憶装置Ａ１０７、判別部記憶装置Ｂ１０８は、ハードウェアが別々となるような形態で記載したが、１つの記憶装置上に異なるエリアを有するような形態でもよい。
【００１３】
図３は、現金自動取引装置１０３の一装置である紙幣取扱装置１０４の内部構造を示す図である。
【００１４】
紙幣取扱装置１０４は、利用者、顧客から入金、投入される紙幣を受け入れる、又は利用者が所望する紙幣を出金、放出する入出金部１、紙幣を搬送する搬送路２、搬送される各紙幣の金種、真偽若しくは状態を判別する判別部３、紙幣を一時的に保管する一時保管庫４、流通に適さない紙幣を収納するためのリジェクト庫５、搬送路２により搬送される紙幣の通過を検知する通過センサ６、紙幣の搬送方向を切り換えるゲート７、紙幣を収納する収納庫８、９、更に図示しない上記各部位を制御する制御部から構成される。特に、判別部３は、紙幣の固有情報（例えば、紙幣に印刷された記番号など、或る紙幣が固有に（または一意に）有する情報）を読取る機能、手段も有している。
【００１５】
図４は、判別部３の構成図である。判別部３は、画像情報読取部２１と画像処理基板３１とから構成される。画像情報読取部２１は、紙幣画像の光学情報を電気信号に変換するイメージセンサ２２、イメージセンサ２２で読み取った画像を一時的に記憶しておく第一のイメージバッファ２３、イメージセンサで読み取った画像について隣り合う２つの画素データを平均化し、第一のイメージバッファ２３に記憶した画像の画素数よりも画素数を減少させた（画像情報の少ない）画像を記憶する第二のイメージバッファ２４、イメージバッファ２３の出力信号を増幅させるアンプ２５、イメージバッファ２４の出力信号を増幅させるアンプ２６、アンプ２５とアンプ２６のどちらの信号を読み出すのかを切り替えるスイッチ２７、スイッチ２７の出力信号をアナログ／デジタル変換するＡ／Ｄコンバータ２８、上記各部位を制御する制御部（図示せず）で構成される。
【００１６】
画像処理基板３１は、画像情報読取部２１で取得した情報を処理する画像処理部３２、紙幣の判別結果を記憶する判別部記憶装置Ａ１０７、詳細画像情報を記憶する判別部記憶装置Ｂ１０８で構成される。
【００１７】
図５は、紙幣の判別、読取時における画像情報読取部２１と紙幣の位置関係を示す。画像情報読取部２１を通過した紙幣の表面の画像情報が、画像読取部２１により読み取られる。紙幣の裏面を読み取るために、画像情報読取部２１を別途設置してもよいが、本実施例では省略する。
【００１８】
図６は、紙幣の真偽、状態などの判別を行う通常の判別処理において、画像情報読取部２１により読取られた紙幣の画像情報の１画素当たりの大きさを示す。通常の判別処理は、記番号読取りに比べ、少ない画像情報にて紙幣の判別が可能である。このため、通常の判別処理においては、スイッチ２７を、アンプ２６側に切替えて、平均化された第二のイメージバッファ２４に記憶された紙幣の画像情報を用いて判別処理を行う。これにより、通常の判別処理では、搬送速度を落とすことなく紙幣の判別が可能となる。
【００１９】
図７は、紙幣の記番号読取りにおいて、画像情報読取部２１により読み取られた紙幣画像情報の１画素当たりの大きさを示す。記番号読取りは、通常の判別処理に比べ、詳細な画像情報が必要となる。このため、記番号読取りにおいては、スイッチ２７を、アンプ２５側に切替えて、第一のイメージバッファ２３に記憶された紙幣の詳細な画像情報を用いて判別処理を行う。この場合、記番号読み取りのために取得した詳細な画像情報は、通常の判別処理に比べ情報量が多く、判別処理における搬送速度で紙幣が搬送されると、判別処理のための性能しか有さない判別部３の各部位では、取得した紙幣の詳細な画像情報を処理することができない。このため、紙幣取扱装置１０４は、搬送路３の紙幣搬送速度を低速にすることにより、高価な装置を導入することなく、記番号の読取りが可能となる。
【００２０】
以下では、読取り画素の大きさを変えることにより、取引処理時間を維持し、特定の紙幣の詳細画像の取得を行う実施例について説明する。
【実施例１】
【００２１】
図８〜図１０を用いて、図３に示した紙幣取扱装置１０４の紙幣の入金取引における動作概要を説明する。
【００２２】
入金取引は、紙幣を入出金部１から判別部３を経由して、判別部３による判別結果に基づき、一時保管庫４又はリジェクトスタッカ１１に搬送し、入出金部１に投入されて紙幣の計数を行う入金計数処理と、入金計数処理後に、一時保管庫４から判別部３を経由して、収納庫８、９、リジェクト庫５に搬送し、紙葉類を収納する入金収納処理とがある。
【００２３】
現金自動取引装置１０３は、紙幣取扱装置１０４による入金計数処理の後に、操作部１１２は、利用者からの入金確定を受付け、紙幣取扱装置１０４による入金収納処理を行う。
【００２４】
なお、利用者から入金取消を受け付けた場合には、一時保管庫４から、入出金部１に紙幣を搬送し、利用者に紙幣を返却する。
【００２５】
本実施例では、現金自動取引装置１０３における入金計数処理において、判別部３による通常の判別処理の後に、さらに実施する判別部３による紙幣の記番号読取り処理について説明する。
【００２６】
図８は、判別処理の前における紙幣取扱装置１０４の状態を示す。通常の判別処理においては、図４の判別部３のスイッチ２７は、アンプ２６からの信号を読み取る側に切り替えてある。
【００２７】
判別処理では、利用者により入出金部１に紙幣が投入されると、紙幣取扱装置１０４は、入出金部１のホッパ１０から紙幣を１枚ずつ分離し、搬送路２上に繰り出す。搬送路２上に繰り出された紙幣は、判別部３を通過するときに、判別部３により紙幣の金種、真偽、状態等を判別される。紙幣取扱装置１０４は、判別部３が、搬送路２上を搬送される紙幣の金種、真偽、状態等を判別した結果に従い、紙幣の金種、真偽、状態と搬送先（一時保管庫４、リジェクトスタッカ１１）の関係が記憶されたテーブル（図示せず）に基づき紙幣を搬送する。
【００２８】
図９は、紙幣の判別処理後における、一時保管庫４とリジェクトスタッカ１１とに搬送された紙幣、及び判別部記憶装置１０７に記憶された紙幣の情報を示す。
【００２９】
紙幣取扱装置１０４は、判別部３により真でない又は疑わしい紙幣、それ以外の金種がわからない紙幣、寸法が異常な紙幣と判別された紙幣を、判別処理及び記番号読取りの対象となる紙幣と判断し、紙幣の金種、真偽、状態と搬送先（一時保管庫４、リジェクトスタッカ１１）との関係が記憶された搬送先テーブルＡ（図示せず）に基づき、入出金部１のリジェクトスタッカ１１に返却する。同様に、紙幣取扱装置１０４は、判別部３により、真であると判別された紙幣は、一時保管庫４に搬送する。
【００３０】
例えば、図９では、入金１枚目の紙幣は、リジェクトすべき紙幣と判別されたためリジェクトスタッカ１１に、入金２枚目の紙幣は、真である紙幣と判別されたため一時保管庫４に、入金３枚目の紙幣は、疑わしい紙幣と判別されたためリジェクトスタッカ１１に搬送される。また、判別部記憶装置Ａ１０７には、１〜３枚目までの紙幣の判別結果が記憶される。
【００３１】
図１０は、図９を用いて説明した判別処理を実施した後に、記番号読取り処理を行った後の、一時保管庫４とリジェクトスタッカ１１とに搬送された紙幣、及び判別部記憶装置１０７に記憶された紙幣の情報を示す。
【００３２】
記番号読取り処理においては、入出金部１のリジェクトスタッカ１１とホッパ１０の間の仕切り板及び、入出金部１の装置奥側（図１０の左側）の仕切り板が、ホッパ１０側に移動することにより、リジェクトスタッカ１１に搬送された紙幣（１枚目、３枚目）を、図１０のホッパ１０側にまで移動させ、図１０のホッパ１０の下部にある紙幣の搬出口より１枚ずつ分離され、再度搬送路２上に繰り出される。リジェクトスタッカ１１から繰り出された紙幣は、判別部３を通過するときに、判別部３により紙幣の金種、真偽、状態等を判別（再判別処理という）されるとともに、紙幣の記番号が読み取られる。この場合、紙幣取扱装置１０４は、紙幣の搬送速度を通常の判別処理の場合よりも低速にし、判別部３は、スイッチ２７をアンプ２５からの信号を読み取る側へ切り替えて、図７において示したように、読み取る紙幣画像の１画素当たりの大きさを小さくし、詳細な画像データを取得する。
【００３３】
例えば、図７に示す１画素当たりの大きさにて、紙幣画像を読み取って行う記番号読取り処理においては、図６で示す通常の判別処理で扱う情報量の４倍のデータを読み取ることになる。この場合、通常の判別処理における紙幣の搬送速度では、図４のアンプ２５、スイッチ２７、Ａ／Ｄコンバータ２８、画像処理部３２などにおける処理がボトルネックとなり、紙幣の搬送速度に判別処理が対応できない。そこで、通常の判別処理と同じ速度で信号や紙幣画像データを扱うために、紙幣の搬送速度を通常の判別処理における１／４倍に設定する。記番号読取り処理において、さらに詳細な紙幣画像が必要となる場合は、紙幣の搬送速度をさらに低速にしてもよい。
【００３４】
紙幣取扱装置１０４は、紙幣の金種、真偽、状態と搬送先（一時保管庫４、リジェクトスタッカ１１）との関係が記憶された搬送先テーブルＡ（図示せず）に基づき、記番号読取処理と共に行う再判別処理の結果、真でない又は疑わしい紙幣と判別された紙幣を、一時保管庫４に搬送する。また、紙幣取扱装置１０４は、それ以外の金種がわからない紙幣や、寸法が異常な紙幣などの一時保管庫４に搬入するのに不適切な紙幣を、リジェクト券として入出金部１のリジェクトスタッカ１１に搬送し、利用者に返却する。
【００３５】
また、判別部記憶装置１０８には、記番号読取り処理にて読み取った記番号などの詳細画像情報を記憶する。このようにして読み取った真でない又は疑わしい紙幣の記番号は、利用者情報と共に紙幣管理等に利用される。
【００３６】
入金計数が確定した後には、紙幣取扱装置１０４は、一時保管庫４に搬送された紙幣を収納庫８、９、リジェクト庫５に収納するため、一時保管庫４から再び搬送路２上に紙幣を繰り出す。
【００３７】
紙幣取扱装置１０４は、搬送路２上の通過センサ６で紙幣を監視し、ゲート７を切り替え、判別部３による通常の判別の結果に従い、図示しない紙幣の金種、真偽、状態と収納先（収納庫８、９、リジェクト庫５）との関係が記憶された収納先テーブルに基づき、収納庫９に収納する金種の紙幣と決定した紙幣は収納庫９に搬送し、収納庫８に収納する金種の紙幣と決定した紙幣は収納庫８に搬送する。また、紙幣取扱装置１０４は、汚れや破れがあり、再度出金できない紙幣としてリジェクト券と決定した紙幣は、リジェクト庫５に収納し、真でない又は疑わしい紙幣と決定した紙幣も、リジェクト庫５に収納し、再度出金しないようにする。
【００３８】
本実施例では、記番号読み取り処理と共に再判別処理を実施するとしたが、最初の判別処理において判別部記憶装置Ａ１０７に記憶した紙幣の判別結果をもとに一時保管庫からの搬送先を決定することとし、再判別処理は行わず記番号読み取り処理だけを行ってもよい。
【００３９】
本実施例のように入金計数処理において、真でない又は疑わしい紙幣についてのみ記番号読取処理を行うことで、顧客の取引時間の延長を非常に短くすることができることとなる。特に、疑わしい紙幣を用いた場合には、取引時間が延長され、通常の紙幣を使う利用者の取引においては、延長されにくいため、悪意のユーザの取引時間を延長することに繋がり防犯効果もある。
【実施例２】
【００４０】
図１１を用いて、入金計数処理後に実施される入金収納処理における記番号読取り処理について説明する。なお、この場合実施例１で説明した入金計数処理時における、記番号読取り処理は行わない。
【００４１】
実施例１で説明したように、入金計数処理では、利用者により入出金部１に紙幣が投入されると、紙幣取扱装置１０４は、入出金部１のホッパ１０から紙幣を１枚ずつ分離し、搬送路２上に繰り出す。搬送路２上に繰り出された紙幣は、判別部３を通過するときに、判別部３により紙幣の金種、真偽、状態等を判別される。紙幣取扱装置１０４は、判別部３が、搬送路２上を搬送される紙幣の金種、真偽、状態等を判別した結果に従い、紙幣の収納先を決定する。なお、通常の判別処理においては、判別部３のスイッチ２７は、アンプ２６からの信号を読み取る側に切り替えてある。
【００４２】
本実施例では、入金計数処理においては、通常の判別処理のみを行うため、紙幣取扱装置１０４は、紙幣の金種、真偽、状態と搬送先（一時保管庫４、リジェクトスタッカ１１）との関係が記憶された搬送先テーブルＢ（図示せず）に基づき、判別部３により真であると判別された紙幣は、一時保管庫４に搬送され、真でない又は疑わしい紙幣も、一時保管庫４に搬送され、それ以外の金種がわからない紙幣、寸法が異常な紙幣と判別された紙幣は、入出金部１のリジェクトスタッカ１１に搬送され、利用者に返却する。
【００４３】
例えば、図１１では、入金計数処理における通常の判別処理において、入金１枚目の紙幣は、リジェクトすべき紙幣と判別されたためリジェクトスタッカ１１に、入金２枚目の紙幣は、真である紙幣と判別されたため一時保管庫４に、入金３枚目の紙幣は、疑わしい紙幣と判別されたため一時保管庫４に搬送される。判別部記憶装置Ａ１０７には、１〜３枚目までの紙幣の判別結果が記憶される。判別処理を含む入金計数処理後には、判別部記憶装置Ｂ１０８には、記番号などの詳細画像情報は記憶されていない。
【００４４】
現金自動取引装置１０３は、利用者による入金確定操作を操作部１１２より受付ける。本体制御部１１４は、操作部１１２により検知された入金確定指令に基づき、一時保管庫４の紙幣を収納庫８、９、リジェクト庫５に収納するように紙幣取扱装置１０４に指示を出す。
【００４５】
紙幣取扱装置１０４は、本体制御部１１４からの指令に基づき入金収納処理を行う。本実施例では、この入金収納処理において、記番号読取り処理を実施する。
【００４６】
紙幣取扱装置１０４は、紙幣搬送速度を低速にし、判別部３は、スイッチ２７をアンプ２５からの信号読み取りへ切り替える。紙幣取扱装置１０４は、一時保管庫４から、搬送路２へ紙幣を繰り出す。搬送路２上に繰り出された紙幣は、判別部３を通過するときに記番号が読み取られ、読み取られた記番号は、判別記憶装置Ｂに記憶される。本実施例では、判別部記憶装置Ａ１０７の判別結果に基づき、疑わしい紙幣と判別された３枚目の紙幣のみについて記番号の読取りを行っている。
【００４７】
判別部３により、記番号を読取られた紙幣は判別部記憶装置Ａ１０７に記憶された入金計数処理における判別結果に従い、紙幣の金種、真偽、状態と収納先（収納庫８、９、リジェクト庫５）との関係が記憶された収納先テーブル（図示せず）に基づき、収納先に収納される。
【００４８】
利用者が入金取引を取消した場合には、紙幣取扱装置１０４は、紙幣搬送速度を低速にし、一時保管庫４から搬送路２上へ紙幣を繰り出し、判別部３は、スイッチ２７をアンプ２５からの信号読み取りへ切り替える。繰り出された紙幣は、判別部３を通過したときに記番号などの詳細画像情報を読み取られ、判別記憶装置Ｂに記憶されるとともに、入金計数処理の際の判別結果に従い、図示しない収納先テーブルに基づいて、ホッパ１０、あるいはリジェクト庫５に搬送される。
【００４９】
なお、入金収納処理、入金取消処理において、一時保管庫４から搬送される紙幣と入金計数処理の判別結果とを関連付ける方法としては、入金計数処理にて一時保管庫４に搬送された紙幣の順番に判別結果を記憶し、その逆の順番で紙幣が一時保管庫４から搬出されるものとして、入金収納処理、入金取消処理にて搬送される紙幣に判別結果を関連付ける方法がある。また、入金計数処理にて、紙幣の記番号以外の高速に取得できる固有情報を取得しておき、入金収納処理、入金取消処理において、高速に取得できる固有情報を再度取得し、高速に取得できる固有情報に基づき、入金計数処理の判別結果を入金収納処理、入金取消処理にて搬送される紙幣に関連付ける方法もある。
【００５０】
本実施例のように入金取引を確定後である入金収納処理において、記番号の読取を行うことにより、利用者の取引時間を延長させることなく、記番号の読み取りを行うことが可能となる。
【実施例３】
【００５１】
図１２は、操作部１１２に表示される係員パネル４１において、記番号などの詳細画像情報の読み取りによる記番号読取り処理の際に、取得する画像の詳細化を設定するための画面である。
【００５２】
係員パネル４１は、詳細画像設定ボタンＡ４２、詳細画像解除ボタンＢ４３で構成される。詳細画像を取得するためには、搬送速度を遅くする必要があるため、取引時間が遅くなるため、詳細画像の取得が不要と判断した店舗では、詳細画像解除ボタンＢ４３を押下し、その機能を使わないような設定することが可能となる。また、実施例１や実施例２のように搬送速度及び読み取り画像の１画素当たりの大きさを切り替えて詳細画像取得を実施する場合には、詳細画像設定ボタンＡ４２押下する。
【００５３】
係員パネルに本画面を用意することにより、各店舗で実施例１、実施例２の機能の設定が可否の選択が可能となる。
【００５４】
また、上記実施例１と実施例２とを時間帯に応じて、切り替わる仕組みとしてもよい。つまり、図示しない制御部により、混雑する時間帯には、利用者が次々とくるため、実施例１を使用するように制御し、記番号を読み取る枚数の絶対数を減少させることにより、現金自動取引装置１０３の処理効率を上げることが可能となる。一方、混雑しない時間帯には、実施例２を使用するように制御し、取引確定後に記番号の読み取りを行うことにより、取引している顧客の取引時間を短くすることが可能となる。
【００５５】
また、上述した係員パネルには、詳細画像設定ボタンＡ４２、詳細画像解除ボタンＢ４３の他に、実施例１又は実施例２の実施を選択する画面や、それぞれの実施時間帯の設定を行う画面を備えるものとしても良い。
【００５６】
上述のように、紙幣の真偽判別により偽券と判別された紙葉類について、搬送速度を低速にし解像度を上げて紙葉類の記番号の読取りを実施するものとして説明したが、本発明は、少なくとも真でないと判別した紙葉類の固有情報であって、紙葉類の真偽で行う判別処理では読取れない固有情報を読み取る場合に、紙葉類の固有情報を読取るために条件を変えて読取りを行うものであれば上記の実施形態、実施例に限定するものではない。
【図面の簡単な説明】
【００５７】
【図１】現金自動取引装置の概略図
【図２】紙幣取扱装置の制御ブロック図
【図３】紙幣取引装置の概略図
【図４】判別部の制御ブロック図
【図５】イメージセンサと紙幣搬送の位置関係
【図６】読取り画素（大）
【図７】読取り画素（小）
【図８】紙幣入金時の紙幣投入を示す図
【図９】紙幣入金時の紙幣取込後を示す図
【図１０】再読取を行った後を示す図
【図１１】入金取引の入金収納で詳細画像を読取る方式を示す図
【図１２】係員画面の例を示す図
【符号の説明】
【００５８】
１    入出金部
２    搬送路
３    判別部
４    一時保管庫
５    リジェクト庫
６    通過センサ
７    ゲート
８    収納庫
９    収納庫
１０  ホッパ
１１  リジェクトスタッカ
２１  画像読取り部
２２  イメージセンサ
２３  イメージバッファ
２４  イメージバッファ
２５  アンプ
２６  アンプ
２７  スイッチ
２８  Ａ／Ｄコンバータ
３１  画像処理基板
３２  画像処理部
５１  紙幣の一部
５２  読取画素（大）
５３  読取画素（小）
１０１    ホストコンピュータ
１０２    サーバー
１０３    現金自動取引装置
１０４    紙幣取扱装置
１０５    判別結果記憶装置
１０７    判別部記憶装置Ａ
１０８    判別部記憶装置Ｂ
１０９    通帳取扱装置
１１０    明細票発行装置
１１１    カード取扱装置
１１２    操作部
１１３    本体制御部記憶装置
１１４    本体制御部
【図１】
0005150342.tif 000002
【図２】
0005150342.tif 000003
【図３】
0005150342.tif 000004
【図４】
0005150342.tif 000005
【図５】
0005150342.tif 000006
【図６】
0005150342.tif 000007
【図７】
0005150342.tif 000008
【図８】
0005150342.tif 000009
【図９】
0005150342.tif 000010
【図１０】
0005150342.tif 000011
【図１１】
0005150342.tif 000012
【図１２】
0005150342.tif 000013